(57)【要約】【課題】突き合せたダクト形成用筒形ユニットの接続用フランジ部同士を挟み込み接続するためのダクトクリップを、この接続用フランジ部に対してカシメ止めするダクトクリップ用カシメ工具を提供すること。【解決手段】一対の挟持半体４を枢着して、この枢着部５より基端側に握持部６を対向状態に設けると共に、この枢着部５より先端側に、前記握持部６の閉じ操作により閉動して前記ダクトクリップ３を挟持可能な挟持部７を対向状態に設け、この挟持部７の一方に、突き合せた前記筒形ユニット１の接続用フランジ部２のいずれか一方に係止する前記ダクトクリップ３の第一係止部10の外面を前記閉動により圧潰してこの第一係止部10の内面を接続用フランジ部２に圧着させるカシメ部８を設ける。【選択図】図３
2014137164.tif 000002
【特許請求の範囲】
【請求項１】
突き合せたダクト形成用筒形ユニットの接続用フランジ部同士を挟み込み接続するためのダクトクリップを、この接続用フランジ部に対してカシメ止めするためのダクトクリップ用カシメ工具であって、一対の挟持半体を枢着して、この枢着部より基端側に握持部を対向状態に設けると共に、この枢着部より先端側に、前記握持部の閉じ操作により閉動して前記ダクトクリップを挟持可能な挟持部を対向状態に設け、この挟持部の一方に、突き合せた前記筒形ユニットの接続用フランジ部のいずれか一方に係止する前記ダクトクリップの第一係止部の外面を前記閉動により圧潰してこの第一係止部の内面を接続用フランジ部に圧着させるカシメ部を設け、この挟持部の他方に、突き合せた前記筒形ユニットの接続用フランジ部のいずれか他方に係止する前記ダクトクリップの第二係止部の外面を前記閉動により支持するクリップ支持部を設けるか、若しくは前記ダクトクリップの第二係止部の外面を前記閉動により圧潰してこの第二係止部の内面を前記接続用フランジ部に圧着させるカシメ部を設けたことを特徴とするダクトクリップ用カシメ工具。
【請求項２】
突き合せた前記筒形ユニットの前記接続用フランジ部のいずれか一方に被嵌係止する折曲形状の前記第一係止部と、突き合せた前記筒形ユニットの前記接続用フランジ部のいずれか他方に被嵌係止する折曲形状の前記第二係止部とが対向状態に設けられた構成の前記ダクトクリップに使用するダクトクリップ用カシメ工具であって、前記挟持部の対向縁の一方若しくは双方に、前記ダクトクリップの第一係止部若しくは第二係止部の折曲部分の外面に被嵌可能な凹溝状縁部を設けると共に、この凹溝状縁部は、前記第一係止部若しくは前記第二係止部の折曲部分に被嵌することによってこの折曲部分を更に折曲するように圧潰する狭溝幅の凹溝状に形成して、この狭溝幅の凹溝状縁部を前記カシメ部としたことを特徴とする請求項１記載のダクトクリップ用カシメ工具。
【請求項３】
前記挟持部の対向縁の一方に、前記ダクトクリップの前記第一係止部の外面形状に略合致する凹溝状の凹溝状縁部を設けると共に、挟持部の対向縁の他方に、前記ダクトクリップの前記第二係止部の外面形状に略合致する凹溝状の凹溝状縁部を設け、この対向縁の凹溝状縁部のいずれか一方若しくは双方を、前記第一係止部若しくは前記第二係止部の前記折曲部分に被嵌することによってこの折曲部分を更に折曲するように圧潰する狭溝幅の凹溝状に形成して、この狭溝幅の凹溝状縁部を前記カシメ部としたことを特徴とする請求項２記載のダクトクリップ用カシメ工具。
【請求項４】
前記ダクトクリップを前記筒形ユニットの接続用フランジ部に取付可能なクリップ取付部を、前記挟持部の側方に挟持部と並設状態に設けて、このクリップ取付部を用いたダクトクリップの取付操作を、前記握持部を握持した手で行えるようにしたことを特徴とする請求項１〜３のいずれか１項に記載のダクトクリップ用カシメ工具。
【請求項５】
把手部の先端部に、前記ダクトクリップを前記筒形ユニットの接続用フランジ部に取付けるクリップ取付部を設けて成るクリップ取付用工具を備え、このクリップ取付用工具の前記把手部を着脱自在に取付可能な工具取付部を前記挟持部若しくは前記握持部に設けると共に、この工具取付部は、前記クリップ取付用工具の把手部を取付けることで前記クリップ取付部を前記挟持部の側方に挟持部と並設状態に配設し得るように構成したことを特徴とする請求項１〜４のいずれか１項に記載のダクトクリップ用カシメ工具。
【請求項６】
前記クリップ取付用工具は、前記把手部の長さを、前記挟持半体の全体長の１／２以下に設定したことを特徴とする請求項５記載のダクトクリップ用カシメ工具。
【発明の詳細な説明】
【技術分野】
【０００１】
本発明は、突き合せたダクト形成用筒形ユニットの接続用フランジ部同士を挟み込み接続するためのダクトクリップを、この接続用フランジ部に対してカシメ止めするためのダクトクリップ用カシメ工具に関するものである。
【背景技術】
【０００２】
例えば、建築物の天井裏や床下などに設置される空調ダクトは、一般に複数の筒形ユニット１を必要な長さになるまで接続して構成されている。
【０００３】
また、最近の角ダクトの接続方法は、ＴＤＣやＴＦＤと称される共板フランジ接続工法が主流となってきている。図７を用いてこの共板フランジ接続工法を説明すると、筒形ユニット１両端の開口端部の四辺を夫々外方へ直角に折曲することでこの開口端部の四辺に接続用フランジ部２を形成し、この接続用フランジ部２同士をガスケット（図示省略）を介して突き合わせた上、各接続用フランジ部２の四隅に装着したＬ形のコーナーピース19をボルト20・ナット21止めすると共に、突き合わせた接続用フランジ部２をダクトクリップ３で挟み込むことで接続用フランジ部２同士（筒形ユニット１同士）を接続する構成である。
【発明の概要】
【発明が解決しようとする課題】
【０００４】
この種ダクトは、内部を通過する気体圧力の変化や地震などによる振動が原因で、特に縦の接続用フランジ部２に取付けた前記ダクトクリップ３が徐々に下方へと移動してしまうことがある。
【０００５】
また、ガスケットの経年劣化による痩せが原因でダクトクリップ３に緩みを生じ、同様に縦の接続用フランジ部２に取付けたダクトクリップ３が下方へ移動してしまうこともあった。
【０００６】
本発明は、このようなダクトクリップの移動による接続不良を解消するために用いるもので、ダクト形成用筒形ユニットの接続用フランジ部に取付けたダクトクリップを、この接続用フランジ部に対して簡単にカシメ加工することができるダクトクリップ用カシメ工具を提供するものである。
【課題を解決するための手段】
【０００７】
添付図面を参照して本発明の要旨を説明する。
【０００８】
突き合せたダクト形成用筒形ユニット１の接続用フランジ部２同士を挟み込み接続するためのダクトクリップ３を、この接続用フランジ部２に対してカシメ止めするためのダクトクリップ用カシメ工具であって、一対の挟持半体４を枢着して、この枢着部５より基端側に握持部６を対向状態に設けると共に、この枢着部５より先端側に、前記握持部６の閉じ操作により閉動して前記ダクトクリップ３を挟持可能な挟持部７を対向状態に設け、この挟持部７の一方に、突き合せた前記筒形ユニット１の接続用フランジ部２のいずれか一方に係止する前記ダクトクリップ３の第一係止部10の外面を前記閉動により圧潰してこの第一係止部10の内面を接続用フランジ部２に圧着させるカシメ部８を設け、この挟持部７の他方に、突き合せた前記筒形ユニット１の接続用フランジ部２のいずれか他方に係止する前記ダクトクリップ３の第二係止部11の外面を前記閉動により支持するクリップ支持部９を設けるか、若しくは前記ダクトクリップ３の第二係止部11の外面を前記閉動により圧潰してこの第二係止部11の内面を前記接続用フランジ部２に圧着させるカシメ部８を設けたことを特徴とするダクトクリップ用カシメ工具に係るものである。
【０００９】
また、突き合せた前記筒形ユニット１の前記接続用フランジ部２のいずれか一方に被嵌係止する折曲形状の前記第一係止部10と、突き合せた前記筒形ユニット１の前記接続用フランジ部２のいずれか他方に被嵌係止する折曲形状の前記第二係止部11とが対向状態に設けられた構成の前記ダクトクリップ３に使用するダクトクリップ用カシメ工具であって、前記挟持部７の対向縁の一方若しくは双方に、前記ダクトクリップ３の第一係止部10若しくは第二係止部11の折曲部分12の外面に被嵌可能な凹溝状縁部13を設けると共に、この凹溝状縁部13は、前記第一係止部10若しくは前記第二係止部11の折曲部分12に被嵌することによってこの折曲部分12を更に折曲するように圧潰する狭溝幅の凹溝状に形成して、この狭溝幅の凹溝状縁部13を前記カシメ部８としたことを特徴とする請求項１記載のダクトクリップ用カシメ工具に係るものである。
【００１０】
また、前記挟持部７の対向縁の一方に、前記ダクトクリップ３の前記第一係止部10の外面形状に略合致する凹溝状の凹溝状縁部13を設けると共に、挟持部７の対向縁の他方に、前記ダクトクリップ３の前記第二係止部11の外面形状に略合致する凹溝状の凹溝状縁部13を設け、この対向縁の凹溝状縁部13のいずれか一方若しくは双方を、前記第一係止部10若しくは前記第二係止部11の前記折曲部分12に被嵌することによってこの折曲部分12を更に折曲するように圧潰する狭溝幅の凹溝状に形成して、この狭溝幅の凹溝状縁部13を前記カシメ部８としたことを特徴とする請求項２記載のダクトクリップ用カシメ工具に係るものである。
【００１１】
また、前記ダクトクリップ３を前記筒形ユニット１の接続用フランジ部２に取付可能なクリップ取付部17を、前記挟持部７の側方に挟持部７と並設状態に設けて、このクリップ取付部17を用いたダクトクリップ３の取付操作を、前記握持部６を握持した手で行えるようにしたことを特徴とする請求項１〜３のいずれか１項に記載のダクトクリップ用カシメ工具に係るものである。
【００１２】
また、把手部16の先端部に、前記ダクトクリップ３を前記筒形ユニット１の接続用フランジ部２に取付けるクリップ取付部17を設けて成るクリップ取付用工具15を備え、このクリップ取付用工具15の前記把手部16を着脱自在に取付可能な工具取付部18を前記挟持部７若しくは前記握持部６に設けると共に、この工具取付部18は、前記クリップ取付用工具15の把手部16を取付けることで前記クリップ取付部17を前記挟持部７の側方に挟持部７と並設状態に配設し得るように構成したことを特徴とする請求項１〜４のいずれか１項に記載のダクトクリップ用カシメ工具に係るものである。
【００１３】
また、前記クリップ取付用工具15は、前記把手部16の長さを、前記挟持半体４の全体長の１／２以下に設定したことを特徴とする請求項５記載のダクトクリップ用カシメ工具に係るものである。
【発明の効果】
【００１４】
本発明は上述のように構成したから、接続用フランジ部に取付けたダクトクリップを挟持部で挟持するだけの簡易操作でダクトクリップを接続用フランジ部に強固にカシメ止めでき、しかも、単にダクトクリップを圧潰することによってカシメ加工する構成であるから、ダクトクリップのメーカーを問わずにカシメ加工を施すことができる極めて実用性に優れたダクトクリップ用カシメ工具となる。
【００１５】
従って、本工具を用いた簡単なダクトクリップのカシメ加工により、ダクトの振動やガスケットの劣化が原因でダクトクリップが移動してしまう接続不良を確実に防止できることになる。
【００１６】
また、請求項２，３記載の発明においては、前記作用効果を確実に発揮するカシメ部を簡易に設計実現可能となり、特に請求項３記載の発明のように構成することにより、圧潰箇所以外はダクトクリップに余計な変形を生じることなくカシメ加工でき、しかも凹溝状縁部がダクトクリップの第一係止部若しくは第二係止部の外面と略同形状であることから、挟持部でダクトクリップを挟持して筒形ユニットの接続用フランジ部に取付けすることも可能であるなど、一層実用性に優れた構成のダクトクリップ用カシメ工具となる。
【００１７】
また、請求項４記載の発明においては、クリップ取付部を使用してダクトクリップを筒形ユニットの接続用フランジ部に取付けすることもでき、しかも、このクリップ取付操作は、握持部を握持した手で容易に行うことができると共に、握持部を握持して行うダクトクリップの接続用フランジ部への取付動作に続く一連の動作のうちに、挟持部でダクトクリップを接続用フランジ部にカシメ加工することもできる一層実用性に優れた構成のダクトクリップ用カシメ工具となる。
【００１８】
また、請求項５記載の発明においては、前記請求項４記載の発明の作用・効果に加えて、工具取付部から取り外したクリップ取付用工具でダクトクリップを接続用フランジ部に取付けすることもできる一層実用性に優れた構成のダクトクリップ用カシメ工具となる。
【００１９】
また、請求項６記載の発明においては、クリップ取付用工具の把手部が短いために、工具取付部から取り外したこのクリップ取付用工具を、天井までの隙間が少ない（クリップ取付用工具の操作スペースが少ない）ダクト設置現場等でも良好に使用できる一層実用性に優れた構成のダクトクリップ用カシメ工具となる。
【図面の簡単な説明】
【００２０】
【図１】実施例１とダクトクリップを示す斜視図である。
【図２】実施例１の挟持部でダクトクリップを挟持しようとする状態を示す説明平面図である。
【図３】実施例１の挟持部でダクトクリップを挟持してダクトクリップを筒形ユニットの接続用フランジ部にカシメ加工した状態を示す説明平面図である。
【図４】実施例２を示す正面図である。
【図５】実施例２のクリップ取付具を使用したダクトクリップの取付動作を示す説明平面図である。
【図６】実施例２のクリップ取付用工具の着脱構造を示す説明斜視図である。
【図７】ダクトの接続構造を示す説明分解斜視図である。
【発明を実施するための形態】
【００２１】
好適と考える本発明の実施形態を、図面に基づいて本発明の作用を示して簡単に説明する。
【００２２】
突き合せたダクト形成用筒形ユニット１の接続用フランジ部２同士を、ダクトクリップ３で挟み込み接続した後、本工具の握持部６を握持し、この握持部６の閉じ操作により挟持部７を閉動させてこの挟持部７でダクトクリップ３を挟持すると、挟持部７の一方に設けたカシメ部８が、突き合せた前記筒形ユニット１の接続用フランジ部２のいずれか一方に係止する前記ダクトクリップ３の第一係止部10の外面を圧潰してこの第一係止部10の内面が接続用フランジ部２に圧着する（カシメられる）と共に、挟持部７の他方に設けたクリップ支持部９が、突き合せた前記筒形ユニット１の接続用フランジ部２のいずれか他方に係止する前記ダクトクリップ３の第二係止部11の外面を支持するか、若しくは挟持部７の他方に設けたカシメ部８が、突き合せた前記筒形ユニット１の接続用フランジ部２のいずれか他方に係止する前記ダクトクリップ３の第二係止部11の外面を圧潰してこの第二係止部11の内面が接続用フランジ部２に圧着する（カシメられる）ことになる。
【００２３】
従って、本工具で接続用フランジ部２に取付けたダクトクリップ３を挟持部７で挟持するたけの簡易操作により、ダクトクリップ３を接続用フランジ部２に強固にカシメ止めでき、これによりダクトの振動やガスケットの劣化によってダクトクリップ３が移動してしまう接続不良を防止できる。
【００２４】
また、ダクトクリップ３に移動防止用の特別な加工を施すのではなく、単にダクトクリップ３を圧潰させてカシメ加工する本工具は、様々なメーカーの既存のダクトクリップ３に使用可能で、汎用性が高い。
【００２５】
また、例えば、把手部16の先端部に、前記ダクトクリップ３を前記筒形ユニット１の接続用フランジ部２に取付けるクリップ取付部17を設けて成るクリップ取付用工具15を備え、このクリップ取付用工具15の前記把手部16を着脱自在に取付可能な工具取付部18を前記挟持部７若しくは前記握持部６に設けると共に、この工具取付部18は、前記クリップ取付用工具15の把手部16を取付けることで前記クリップ取付部17を前記挟持部７の側方に挟持部７と並設状態に配設し得るように構成すれば、工具取付部18から取り外したクリップ取付用工具15の把手部16を把手してクリップ取付部17でダクトクリップ３を接続用フランジ部２に取付けることができるし、工具取付部18にクリップ取付用工具15を取付けておけば、握持部６を握持した手で操作してクリップ取付部17でダクトクリップ３を接続用フランジ部２に取付けることができ、更にこのダクトクリップ３の取付動作に続く一連の動作のうちに握持部６を持ち変えることなく握持操作して挟持部７でダクトクリップ３を接続用フランジ部２にカシメ止めすることも可能である。
【実施例１】
【００２６】
本発明の具体的な実施例１について図１〜図３に基づいて説明する。
【００２７】
本実施例のダクトクリップ用カシメ工具は、一対の挟持半体４を枢着して、この枢着部５より基端側に握持部６を対向状態に設けると共に、この枢着部５より先端側に、前記握持部６の閉じ操作により閉動してダクトクリップ３を挟持可能な挟持部７を対向状態に設けている。
【００２８】
具体的には、一対の挟持半体４は、図１に示すように、帯板材を断面Ｕ字状に折曲形成した長尺なハンドル部22の先端部に、やや厚みがあってハンドル部22の長さ寸法の１／３程度の長さを有する帯板状の挟持板23を突設した構成としている。
【００２９】
そして、この一対の挟持半体４を、その前記ハンドル部22の先端寄りの部位同士を枢着軸25により枢着して、この枢着部５より基端側に存する一対のハンドル部22を前記握持部６とし、この枢着部５より先端側に存する一対の挟持板23を前記挟持部７としている。
【００３０】
また、挟持部７を構成する一対の挟持板23は、図１〜図３に示すように、枢軸24を介してハンドル部22の先端部に枢支連結することによってハンドル部22の先端部に突設した構成とし、更にこの一対の挟持板23同士を、その長さ方向の中ほどの表裏に架け渡し状に配した連結板26を介して軸ピン27で枢支連結するリンク機構（倍力機構）を構成して、前記握持部６をそのハンドル部22の対向間隔が狭まるように閉じ操作すると、前記倍力機構を介して挟持部３がその挟持板23の対向縁の対向間隔が狭まるように閉動（挟持作動）する構成としている。尚、一対の挟持半体４同士を単に交差枢着した倍力機構なしの構成を採用しても良い。
【００３１】
また、図示していないが、握持部６及び挟持部７を開き付勢する弾性体を握持部６に設けている。図中符号28は開き付勢されている握持部６を開き止めする開き止めストッパー、29はこの開き止めストッパー28が係止する係合部である。
【００３２】
本実施例は、前記挟持部７の一方に、突き合せたダクト形成用筒形ユニット１の接続用フランジ部２のいずれか一方に係止するダクトクリップ３の第一係止部10の外面を前記閉動により圧潰してこの第一係止部10の内面を接続用フランジ部２に圧着させるカシメ部８を設け、この挟持部７の他方に、突き合せた前記筒形ユニット１の接続用フランジ部２のいずれか他方に係止するダクトクリップ３の第二係止部11の外面を前記閉動により支持するクリップ支持部９を設けている。
【００３３】
また、ここでダクトクリップ３について説明すると、図１，図２に示すように、一枚の横長の金属板を断面略鉤爪形（フック形）に折曲形成した構成であって、左右両側に突き合せた前記筒形ユニット１の前記接続用フランジ部２のいずれか一方に被嵌係止するＵ字形若しくはＶ字形折曲状（図面はＶ字形折曲状）の前記第一係止部10と、突き合せた前記筒形ユニット１の前記接続用フランジ部２のいずれか他方に被嵌係止するＵ字形若しくはＶ字形折曲状（図面はＶ字形折曲状）の前記第二係止部11とが対向状態に設けられた公知のダクトクリップ３を採用している。
【００３４】
本実施例の挟持部７は、図２，図３に示すように、一方の挟持部７（挟持板23）の対向縁に、前記ダクトクリップ３の第一係止部10の折曲部分12の外面に被嵌可能であって且つ第一係止部10の外面形状に略合致する凹溝状の凹状縁部13としての一方側凹溝状縁部13Ａを設けると共に、この一方側凹溝状縁部13Ａは、前記第一係止部10の折曲部分12に被嵌することによってこの折曲部分12を更に折曲するように圧潰する狭溝幅の凹溝状に形成して、この狭溝幅の一方側凹溝状縁部13Ａを前記カシメ部８としている。
【００３５】
また、このカシメ部８（一方側凹溝状縁部13Ａ）は、溝開放側が幅広くこれより溝奥側が徐々に幅狭くなる溝形状に形成して、前記第一係止部10の折曲部分12が、このカシメ部８に入り込み易く圧潰され易い構成としている。
【００３６】
また、挟持部７の対向縁の他方に、前記ダクトクリップ３の第二係止部11の折曲部分12の外面に被嵌可能であって且つ第二係止部11の外面形状に略合致する凹溝状の凹溝状縁部13としての他方側凹溝状縁部13Ｂを設けて、この他方側凹溝状縁部13Ｂを前記クリップ支持部９とし、このクリップ支持部９に支持されたダクトクリップ３の前記第二係止部11の折曲部分12の外面は、特に変形を生じない構成としている。
【００３７】
即ち、本実施例の挟持部７は、ダクトクリップ３の第一係止部10の折曲部分12だけを圧潰してダクトクリップ３を突き合せた前記接続用フランジ部２の一方にカシメ止めする構成としている。
【００３８】
尚、挟持部７の他方にもカシメ部８を設けて、挟持部７は、カシメ部８が対設する構成としても良い（この場合、第一係止部10と第二係止部11の双方の折曲部分12の外面が圧潰されてダクトクリップ３が突き合せた前記接続用フランジ部２の双方に一層強固にカシメられる。）。
【００３９】
また、本実施例では、図１〜図３において上側に図示したダクトクリップ３の係止部を前記第一係止部10とし、下側に図示した係止部を前記第二係止部11とした場合を示しているが、下側に図示した係止部を第一係止部10とし、上側に図示した係止部を第二係止部11としても良い。
【実施例２】
【００４０】
本発明の具体的な実施例２について図４〜図６に基づいて説明する。
【００４１】
本実施例は、前記実施例１において、前記ダクトクリップ３を前記筒形ユニット１の接続用フランジ部２に取付可能なクリップ取付部17を、前記挟持部７の側方に挟持部７と並設状態に設けて、このクリップ取付部17を用いたダクトクリップ３の取付操作を、前記握持部６を握持した手で行えるようにした場合である。
【００４２】
具体的には、把手部16の先端部に、前記ダクトクリップ３を前記筒形ユニット１の接続用フランジ部２に取付ける公知のクリップ取付部17を設けて成るクリップ取付用工具15を備え、このクリップ取付用工具15の前記把手部16を着脱自在に取付可能な工具取付部18を前記挟持部７に設けて、この工具取付部18に、前記クリップ取付用工具15を取付けることで前記クリップ取付部17を前記挟持部７の側方に挟持部７と並設状態に配設し得るように構成している。
【００４３】
更に詳しくは、図４，図６に示すように、前記各連結板26の夫々の一端部（図面は他方の挟持部７側（図面下側）端部）を外方（下方）へ延設すると共に、この延設板部に螺子孔30を貫通形成して、この螺子孔30付の延設板部を前記工具取付部18としている。また、一方の螺子孔30は雌螺子孔に形成している。
【００４４】
この工具取付部18への前記クリップ取付用工具15の取付構造は、前記把手部16を前記表裏の連結板26間に配設可能な帯板状に構成すると共に、この把手部16の中ほどに前記螺子孔30と連通させる連通孔31を貫通形成して、この把手部16を連結板26間に配設して連通孔31を螺子孔30に連通させ、この連通させた螺子孔30と連通孔31とに蝶螺子を採用した取付ネジ32を挿通螺着することで把手部16を取付けする構造とする共に、この際把手部16を連結板26間に挟持締付することでクリップ取付部17を前記挟持部７の側方に挟持部７と並設状態に位置止めできる構造としている。即ち、取付ネジ32を緩めて螺子孔30と連通孔31から取り外せば、簡単に工具取付部18からクリップ取付用工具15を分離できてこのクリップ取付用工具15を単独で使用できる構成としている。尚、一方の螺子孔30を雌螺子孔に形成せずに、ナットを用いて取付ネジ32で締付固定する構成としても良い。
【００４５】
また、他方の挟持部７（挟持板23）の外縁部にクリップ取付部17の外形に略合致する支持凹部14を形成して、この支持凹部14にクリップ取付部17を支持して安定的にクリップ取付用工具15を取付けできる構成としている。
【００４６】
従って、このように構成した本実施例によれば、図５に示すように、クリップ取付部17を使用してダクトクリップ３を筒形ユニット１の接続用フランジ部２に取付けすることもでき、しかも、このダクトクリップ３の取付操作は、握持部６を握持した手で容易に行うことができると共に、握持部６を握持して行うダクトクリップ３の接続用フランジ部２への取付動作に続く一連の動作のうちに、挟持部７でダクトクリップ３を接続用フランジ部２にカシメ加工することもできる。
【００４７】
また、本実施例のクリップ取付用工具15は、前記把手部16の長さを、前記挟持半体４の全体長の１／２以下に設定している。
【００４８】
具体的には、把手部16の長さ寸法を、前記ハンドル部22の全長の１／３程度となる短い長さに設定し、これによりクリップ取付用工具15を工具取付部18から取り外せば、天井までの隙間が少ない（クリップ取付用工具15の操作スペースが少ない）ダクト設置現場でも良好に使用できる構成としている。
【００４９】
尚、本発明は、実施例１，２に限られるものではなく、各構成要件の具体的構成は適宜設計し得るものである。
【符号の説明】
【００５０】
１  筒形ユニット
２  接続用フランジ部
３  ダクトクリップ
４  挟持半体
５  枢着部
６  握持部
７  挟持部
８  カシメ部
９  クリップ支持部
10  第一係止部
11  第二係止部
12  折曲部分
13  凹溝状縁部
15  クリップ取付用工具
16  把手部
17  クリップ取付部
18  工具取付部
【図１】
2014137164.tif 000003
【図２】
2014137164.tif 000004
【図３】
2014137164.tif 000005
【図４】
2014137164.tif 000006
【図５】
2014137164.tif 000007
【図６】
2014137164.tif 000008
【図７】
2014137164.tif 000009